(57)【要約】【課題】プリンタにより電子ペン用帳票を製造した際にプリンタ側の原因による印刷時のずれから発生する座標情報のずれを補正する処理システムを提供する。【解決手段】処理システム１００において、電子ペン用帳票３は、プリンタ４によりドットパターン帳票に背景情報を印刷することで製造される。ドットパターン帳票には、ずれの基準となる第１補正記号が印刷されており、背景情報は、ずれを示す第２補正記号に関する情報を有している。そのため、プリンタ４による印刷時におけるドットパターン帳票と背景情報とのずれの度合いは、第１補正記号の位置と第２補正記号の位置により算出することができる。そこで、サーバ５は、電子ペン１０から第１補正記号及び第２補正記号を結ぶ線に関する補正記入情報を取得し、補正値を算出する。そして、サーバ５は、算出した補正値に基づいて座標情報を補正する。【選択図】図１３
2008117187.tif 000002
【特許請求の範囲】
【請求項１】
電子ペンにより認識可能なドットパターン及び背景情報が紙媒体に印刷された電子ペン用帳票に記入された情報を処理する処理装置において、
前記電子ペン用帳票は、前記ドットパターンが印刷されたドットパターン帳票に前記背景情報が印刷されたものであって、
前記ドットパターン帳票には、前記背景情報がずれなく印刷された場合に基準となる位置に第１補正記号が印刷されており、
前記背景情報は、前記ドットパターン帳票に当該背景情報がずれなく印刷された場合に、前記第１補正記号と一致する位置に印刷される第２補正記号に関する情報を有しており、
前記処理装置は、
前記電子ペンにより、前記第１補正記号と前記第２補正記号を結ぶように記入された補正記入情報を取得する補正記入情報取得手段と、
前記補正記入情報に基づいて、前記背景情報の印刷時における当該背景情報と前記ドットパターン帳票のずれを示す補正値を算出する補正値算出手段と、
前記電子ペンにより、前記電子ペン用帳票に記入された帳票記入情報を取得する帳票記入情報取得手段と、
前記帳票記入情報から、前記電子ペン用帳票に記入されたストロークの位置座標を示す補正前座標情報を抽出する補正前座標情報抽出手段と、
前記補正前座標情報を、前記補正値算出手段が算出した補正値に基づいて補正することで、補正後座標情報を取得する補正後座標情報取得手段と、を備えることを特徴とする処理装置。
【請求項２】
電子ペンにより認識可能なドットパターン及び背景情報が紙媒体に印刷された電子ペン用帳票に記入された情報を処理する処理装置において、
前記電子ペン用帳票は、前記ドットパターンが印刷されたドットパターン帳票に、複数の項目から構成される背景情報が印刷されたものであって、
前記ドットパターン帳票には、前記背景情報がずれなく印刷された場合に基準となる位置に第１補正記号が印刷されており、
前記背景情報は、前記ドットパターン帳票に当該背景情報がずれなく印刷された場合に、前記第１補正記号と一致する位置に印刷される第２補正記号に関する情報を有しており、
前記処理装置は、
前記背景情報を構成する項目と、前記ドットパターン上の位置座標である座標情報とを対応付けた定義情報を記憶する定義情報記憶手段と、
前記電子ペンにより、前記第１補正記号と前記第２補正記号とを結ぶように記入された補正記入情報を取得する補正記入情報取得手段と、
前記補正記入情報に基づいて、前記背景情報の印刷時における当該背景情報と前記ドットパターン帳票のずれを示す補正値を算出する補正値算出手段と、
前記定義情報に定義された全ての座標情報を、前記補正値算出手段が算出した補正値に基づいて補正することで、補正定義情報を作成する補正定義情報作成手段と、
前記電子ペンにより、前記電子ペン用帳票に記入された帳票記入情報を取得する帳票記入情報取得手段と、
前記補正定義情報に基づいて、前記帳票記入情報から、各項目にそれぞれ記入された項目記入情報を抽出する項目記入情報抽出手段と、
前記項目記入情報に基づいて所定の処理を実行する処理実行手段と、を備えることを特徴とする処理装置。
【請求項３】
電子ペンにより認識可能なドットパターン及び背景情報が紙媒体に印刷された電子ペン用帳票に記入された情報を処理するコンピュータにより実行されるプログラムにおいて、
前記電子ペン用帳票は、前記ドットパターンが印刷されたドットパターン帳票に前記背景情報が印刷されたものであって、
前記ドットパターン帳票には、前記背景情報がずれなく印刷された場合に基準となる位置に第１補正記号が印刷されており、
前記背景情報は、前記ドットパターン帳票に当該背景情報がずれなく印刷された場合に、前記第１補正記号と一致する位置に印刷される第２補正記号に関する情報を有しており、
前記プログラムは、
前記電子ペンにより、前記第１補正記号と前記第２補正記号を結ぶように記入された補正記入情報を取得する補正記入情報取得手段、
前記補正記入情報に基づいて、前記背景情報の印刷時における当該背景情報と前記ドットパターン帳票のずれを示す補正値を算出する補正値算出手段、
前記電子ペンにより、前記電子ペン用帳票に記入された帳票記入情報を取得する帳票記入情報取得手段、
前記帳票記入情報から、前記電子ペン用帳票に記入されたストロークの位置座標を示す補正前座標情報を抽出する補正前座標情報抽出手段、
前記補正前座標情報を、前記補正値算出手段が算出した補正値に基づいて補正することで、補正後座標情報を取得する補正後座標情報取得手段、として前記コンピュータを機能させることを特徴とするプログラム。
【請求項４】
電子ペンにより認識可能なドットパターン及び背景情報が紙媒体に印刷された電子ペン用帳票に記入された情報を処理するコンピュータにより実行されるプログラムにおいて、
前記電子ペン用帳票は、前記ドットパターンが印刷されたドットパターン帳票に、複数の項目から構成される背景情報が印刷されたものであって、
前記ドットパターン帳票には、前記背景情報がずれなく印刷された場合に基準となる位置に第１補正記号が印刷されており、
前記背景情報は、前記ドットパターン帳票に当該背景情報がずれなく印刷された場合に、前記第１補正記号と一致する位置に印刷される第２補正記号に関する情報を有しており、
前記プログラムは、
前記背景情報を構成する項目と、前記ドットパターン上の位置座標である座標情報とを対応付けた定義情報を記憶する定義情報記憶手段、
前記電子ペンにより、前記第１補正記号と前記第２補正記号とを結ぶように記入された補正記入情報を取得する補正記入情報取得手段、
前記補正記入情報に基づいて、前記背景情報の印刷時における当該背景情報と前記ドットパターン帳票のずれを示す補正値を算出する補正値算出手段、
前記定義情報に定義された全ての座標情報を、前記補正値算出手段が算出した補正値に基づいて補正することで、補正定義情報を作成する補正定義情報作成手段、
前記電子ペンにより、前記電子ペン用帳票に記入された帳票記入情報を取得する帳票記入情報取得手段、
前記補正定義情報に基づいて、前記帳票記入情報から、各項目にそれぞれ記入された項目記入情報を抽出する項目記入情報抽出手段、
前記項目記入情報に基づいて所定の処理を実行する処理実行手段、として前記コンピュータを機能させることを特徴とするプログラム。
【請求項５】
インクペンユニット及び光学的にドットパターンを読み取る読取ユニットを備える電子ペンにより記入される電子ペン用帳票であって、
前記ドットパターンが印刷された紙媒体であるドットパターン帳票と、
前記ドットパターン帳票に印刷された背景情報と、
前記ドットパターン帳票に前記背景情報がずれなく印刷された場合に基準となる第１補正記号と、
前記背景情報の印刷時における当該背景情報と前記ドットパターン帳票のずれを示す第２補正記号とを有することを特徴とする電子ペン用帳票。
【請求項６】
前記第２補正記号は、前記ドットパターン帳票に当該背景情報がずれなく印刷された場合に、前記第１補正記号と一致する位置に印刷されおり、
前記背景情報は、前記第２補正記号に関する情報を予め有していることを特徴とする請求項５に記載の電子ペン用帳票。
【請求項７】
前記電子ペン用帳票は、プリンタにより、前記ドットパターン帳票に前記背景情報が印刷されることで製造されることを特徴とする請求項５又は６に記載の電子ペン用帳票。
【発明の詳細な説明】
【技術分野】
【０００１】
本発明は、電子ペン用帳票に記入された情報に基づいて所定の処理を行うための技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」とも呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、各種ビジネス上の書類、申込書、契約書等に記入されたデータをデジタル化する手法として、電子ペンを利用したシステムが普及しつつある（例えば、特許文献１）。
【０００３】
これに伴い、利用者が使用するプリンタにより、上述の専用紙を製造する方法が考えられている。プリンタによる製造であれば、予めドットパターンが印刷された紙媒体をプリンタにセットし、任意の背景情報を印刷することで、多種多様な専用紙を容易に製造することが可能となる。
【０００４】
しかし、専用紙をプリンタから出力する場合、プリンタ側の原因から起こる印刷時のずれは避けることができず、その状態で電子ペンによる記入を行うと、記入情報をデータ化したときの位置が、印刷時のずれの分だけずれてしまう。そのため、従来はこのずれにより、利用者が電子ペンにより専用紙に記入した内容に対応するデジタルデータ化された記入情報に基づいて、正確な記入内容を特定することができないという問題が生じていた。
【０００５】
【特許文献１】特開２００４−１５３６１２号公報
【発明の開示】
【発明が解決しようとする課題】
【０００６】
本発明は、以上の点に鑑みてなされたものであり、プリンタにより電子ペン用帳票を製造した際に、プリンタ側の原因による印刷時のずれから発生する座標情報のずれを補正する処理システムを提供することを課題とする。
【課題を解決するための手段】
【０００７】
本発明の１つの観点では、電子ペンにより認識可能なドットパターン及び背景情報が紙媒体に印刷された電子ペン用帳票に記入された情報を処理する処理装置において、前記電子ペン用帳票は、前記ドットパターンが印刷されたドットパターン帳票に前記背景情報が印刷されたものであって、前記ドットパターン帳票には、前記背景情報がずれなく印刷された場合に基準となる位置に第１補正記号が印刷されており、前記背景情報は、前記ドットパターン帳票に当該背景情報がずれなく印刷された場合に、前記第１補正記号と一致する位置に印刷される第２補正記号に関する情報を有しており、前記処理装置は、前記電子ペンにより、前記第１補正記号と前記第２補正記号を結ぶように記入された補正記入情報を取得する補正記入情報取得手段と、前記補正記入情報に基づいて、前記背景情報の印刷時における当該背景情報と前記ドットパターン帳票のずれを示す補正値を算出する補正値算出手段と、前記電子ペンにより、前記電子ペン用帳票に記入された帳票記入情報を取得する帳票記入情報取得手段と、前記帳票記入情報から、前記電子ペン用帳票に記入されたストロークの位置座標を示す補正前座標情報を抽出する補正前座標情報抽出手段と、前記補正前座標情報を、前記補正値算出手段が算出した補正値に基づいて補正することで、補正後座標情報を取得する補正後座標情報取得手段と、を備える。
【０００８】
上記のように構成された処理装置において使用される電子ペン用帳票は、プリンタによりドットパターン帳票に背景情報を印刷することで製造される。ここで、ドットパターン帳票とは、電子ペンが認識可能なドットパターンが印刷された帳票であり、ずれの基準となる第１補正記号が印刷されている。一方、背景情報とは、電子ペン用帳票の罫線や文字といった固定デザインに関する情報であり、ずれの基準となる第２補正記号に関する情報を有している。ドットパターン帳票に背景情報がずれなく印刷された場合、第２補正記号は、第１補正記号と同じ位置に印刷される。つまり、ドットパターン帳票に背景情報がずれなく印刷された場合、第１補正記号の位置と第２補正記号の位置は一致する。換言すると、印刷時におけるドットパターン帳票と背景情報とのずれの度合いは、第１補正記号の位置と第２補正記号の位置により算出することができる。そこで、処理装置は、電子ペンから第１補正記号及び第２補正記号を結ぶ線に関する補正記入情報を取得し、当該補正記入情報に基づいて、印刷時におけるドットパターン帳票と背景情報とのずれを示す補正値を算出する。そして、処理装置は、電子ペンにより電子ペン用帳票に記入された帳票記入情報の座標情報を、算出した補正値に基づいて補正する。これによれば、利用者は、プリンタを使用して多種多様な電子ペン用帳票を容易に製造することができる。また、処理装置は、印刷時にずれが発生したとしても、補正値に基づいて自動的に座標情報を補正することができる。
【０００９】
本発明の別の観点では、電子ペンにより認識可能なドットパターン及び背景情報が紙媒体に印刷された電子ペン用帳票に記入された情報を処理する処理装置において、前記電子ペン用帳票は、前記ドットパターンが印刷されたドットパターン帳票に、複数の項目から構成される背景情報が印刷されたものであって、前記ドットパターン帳票には、前記背景情報がずれなく印刷された場合に基準となる位置に第１補正記号が印刷されており、前記背景情報は、前記ドットパターン帳票に当該背景情報がずれなく印刷された場合に、前記第１補正記号と一致する位置に印刷される第２補正記号に関する情報を有しており、前記処理装置は、前記背景情報を構成する項目と、前記ドットパターン上の位置座標である座標情報とを対応付けた定義情報を記憶する定義情報記憶手段と、前記電子ペンにより、前記第１補正記号と前記第２補正記号とを結ぶように記入された補正記入情報を取得する補正記入情報取得手段と、前記補正記入情報に基づいて、前記背景情報の印刷時における当該背景情報と前記ドットパターン帳票のずれを示す補正値を算出する補正値算出手段と、前記定義情報に定義された全ての座標情報を、前記補正値算出手段が算出した補正値に基づいて補正することで、補正定義情報を作成する補正定義情報作成手段と、前記電子ペンにより、前記電子ペン用帳票に記入された帳票記入情報を取得する帳票記入情報取得手段と、前記補正定義情報に基づいて、前記帳票記入情報から、各項目にそれぞれ記入された項目記入情報を抽出する項目記入情報抽出手段と、前記項目記入情報に基づいて所定の処理を実行する処理実行手段と、を備える。
【００１０】
上記のように構成された処理装置において使用される電子ペン用帳票は、プリンタによりドットパターン帳票に背景情報を印刷することで製造される。ここで、ドットパターン帳票とは、電子ペンが認識可能なドットパターンが印刷された帳票であり、ずれの基準となる第１補正記号が印刷されている。一方、背景情報とは、電子ペン用帳票の罫線や文字といった固定デザインに関する情報であり、ずれの基準となる第２補正記号に関する情報を有している。ドットパターン帳票に背景情報がずれなく印刷された場合、第２補正記号は、第１補正記号と同じ位置に印刷される。つまり、ドットパターン帳票に背景情報がずれなく印刷された場合、第１補正記号の位置と第２補正記号の位置は一致する。換言すると、印刷時におけるドットパターン帳票と背景情報とのずれの度合いは、第１補正記号の位置と第２補正記号の位置により算出することができる。そこで、処理装置は、電子ペンから第１補正記号及び第２補正記号を結ぶ線に関する補正記入情報を取得し、当該補正記入情報に基づいて、印刷時におけるドットパターン帳票と背景情報とのずれを示す補正値を算出する。そして、処理装置は、予め記憶している定義情報に含まれる座標情報を、算出した補正値に基づいて補正する。さらに、処理装置は、電子ペンにより電子ペン用帳票に記入された帳票記入情報から、補正後の定義情報に基づいて、各項目に記入された項目記入情報を抽出する。このように抽出した項目記入情報に基づいて、処理装置は、所定の処理を実行する。これによれば、補正値に基づいて定義情報を補正することで、帳票記入情報から正確に項目記入情報を抽出することができる。よって、処理装置は、印刷時のずれを考慮した正確なデータ処理を実行することができる。
【００１１】
本発明の別の観点では、電子ペンにより認識可能なドットパターン及び背景情報が紙媒体に印刷された電子ペン用帳票に記入された情報を処理するコンピュータにより実行されるプログラムにおいて、前記電子ペン用帳票は、前記ドットパターンが印刷されたドットパターン帳票に前記背景情報が印刷されたものであって、前記ドットパターン帳票には、前記背景情報がずれなく印刷された場合に基準となる位置に第１補正記号が印刷されており、前記背景情報は、前記ドットパターン帳票に当該背景情報がずれなく印刷された場合に、前記第１補正記号と一致する位置に印刷される第２補正記号に関する情報を有しており、前記プログラムは、前記電子ペンにより、前記第１補正記号と前記第２補正記号を結ぶように記入された補正記入情報を取得する補正記入情報取得手段、前記補正記入情報に基づいて、前記背景情報の印刷時における当該背景情報と前記ドットパターン帳票のずれを示す補正値を算出する補正値算出手段、前記電子ペンにより、前記電子ペン用帳票に記入された帳票記入情報を取得する帳票記入情報取得手段、前記帳票記入情報から、前記電子ペン用帳票に記入されたストロークの位置座標を示す補正前座標情報を抽出する補正前座標情報抽出手段、前記補正前座標情報を、前記補正値算出手段が算出した補正値に基づいて補正することで、補正後座標情報を取得する補正後座標情報取得手段、として前記コンピュータを機能させる。
【００１２】
本発明の別の観点では、電子ペンにより認識可能なドットパターン及び背景情報が紙媒体に印刷された電子ペン用帳票に記入された情報を処理するコンピュータにより実行されるプログラムにおいて、前記電子ペン用帳票は、前記ドットパターンが印刷されたドットパターン帳票に、複数の項目から構成される背景情報が印刷されたものであって、前記ドットパターン帳票には、前記背景情報がずれなく印刷された場合に基準となる位置に第１補正記号が印刷されており、前記背景情報は、前記ドットパターン帳票に当該背景情報がずれなく印刷された場合に、前記第１補正記号と一致する位置に印刷される第２補正記号に関する情報を有しており、前記プログラムは、前記背景情報を構成する項目と、前記ドットパターン上の位置座標である座標情報とを対応付けた定義情報を記憶する定義情報記憶手段、前記電子ペンにより、前記第１補正記号と前記第２補正記号とを結ぶように記入された補正記入情報を取得する補正記入情報取得手段、前記補正記入情報に基づいて、前記背景情報の印刷時における当該背景情報と前記ドットパターン帳票のずれを示す補正値を算出する補正値算出手段、前記定義情報に定義された全ての座標情報を、前記補正値算出手段が算出した補正値に基づいて補正することで、補正定義情報を作成する補正定義情報作成手段、前記電子ペンにより、前記電子ペン用帳票に記入された帳票記入情報を取得する帳票記入情報取得手段、前記補正定義情報に基づいて、前記帳票記入情報から、各項目にそれぞれ記入された項目記入情報を抽出する項目記入情報抽出手段、前記項目記入情報に基づいて所定の処理を実行する処理実行手段、として前記コンピュータを機能させる。
【００１３】
上記プログラムをコンピュータにより実行することにより、上述の処理装置を実現することができる。また、上述の処理装置の各態様も同様に実現することができる。
【００１４】
本発明のさらに別の観点では、インクペンユニット及び光学的にドットパターンを読み取る読取ユニットを備える電子ペンにより記入される電子ペン用帳票であって、前記ドットパターンが印刷された紙媒体であるドットパターン帳票と、前記ドットパターン帳票に印刷された背景情報と、前記ドットパターン帳票に前記背景情報がずれなく印刷された場合に基準となる第１補正記号と、前記背景情報の印刷時における当該背景情報と前記ドットパターン帳票のずれを示す第２補正記号とを有する。
【００１５】
上記のように構成された電子ペン用帳票には、第１補正記号及び第２補正記号が設けられている。第２補正記号は印刷時におけるドットパターン帳票と背景情報のずれを示す記号であり、第１補正記号は基準となる記号であるため、第１補正記号の位置座標と、第２補正記号の位置座標とに基づいて、印刷時におけるずれ度合いを数値として算出することが可能となる。具体的に、利用者は、電子ペンにより第１補正記号及び第２補正記号を結ぶ線である補正線を記入し、当該補正線に関する記入情報を所定の端末装置等に送信する。すると、端末装置等は、取得した記入情報に基づいて、ストロークの開始点及び終了点の位置座標を算出し、それぞれを第１補正記号の位置座標、第２補正記号の位置座標と特定する。そして、端末装置等は、第１補正記号の位置座標と第２補正記号の位置座標との差分を算出することで、補正値を算出することができる。よって、端末装置等は、算出した補正値に基づいて、電子ペンによる記入情報に含まれる座標情報を自動的に補正することが可能となる。
【００１６】
上記電子ペン用帳票の一態様では、前記第２補正記号は、前記ドットパターン帳票に当該背景情報がずれなく印刷された場合に、前記第１補正記号と一致する位置に印刷されており、前記背景情報は、前記第２補正記号に関する情報を予め有している。背景情報がこのように設定された第２補正記号に関する情報を有していることで、ドットパターン帳票に背景情報を印刷した際に、第２補正記号がずれを示す位置に印刷される。よって、第１補正記号及び第２補正記号の位置座標に基づいて補正値を算出することができる。
【００１７】
上記電子ペン用帳票の他の一態様では、前記電子ペン用帳票は、プリンタにより、前記ドットパターン帳票に前記背景情報が印刷されることで製造される。これによれば、利用者は、プリンタを使用して多種多様な電子ペン用帳票を容易に製造することが可能となる。
【発明の効果】
【００１８】
本発明によれば、電子ペンによる記入情報に含まれる座標情報において、プリンタにより電子ペン用帳票を製造した際にプリンタ側の原因による印刷時のずれから発生するずれを補正することができる。
【発明を実施するための最良の形態】
【００１９】
以下、図面を参照して本発明の好適な実施の形態について説明する。まず、本発明のシステムにおいて入力デバイスとして使用される電子ペンの概要について説明する。
【００２０】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２１】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２２】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２３】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２４】
カメラ１６は専用ペーパー２０上のドットパターンを読み取り、そのパターンデータをプロセッサ１１に供給する。プロセッサ１１は、供給されたドットパターンから、専用ペーパー２０上でのＸ，Ｙ座標を算出する。
【００２５】
プロセッサ１１は、利用者の記述が行われる間に、筆圧の配列データ及びＸ，Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２６】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２７】
送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。また、電子ペン１０自体が、送信機能を搭載していることとしてもよい。
【００２８】
バッテリー１４は電子ペン１０内の各要素に電源供給するためのものであり、例えば電子ペンのキャップ（図示せず）により電子ペン１０自体の電源のオン／オフを行うことができる。
【００２９】
このように、電子ペン１０は利用者が専用ペーパー２０上に記述した文字などに対応する座標データ（「座標情報」ともいう。）及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３０】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３１】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００３２】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３３】
次に、電子ペンにより利用者が記述した内容のＸ，Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３４】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を生成する際は、専用インキ以外のインキで入力枠や罫線、注意書きなどを印刷する。
【００３５】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３６】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３７】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３８】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３９】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４０】
ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４１】
このように、ドットパターンを印刷した専用ペーパー上に所定の図案を印刷することにより、専用ペーパーを利用した各種申込書が生成できる。利用者は電子ペン１０を使用して通常の要領で必要事項を記入すれば、その電子データが自動的に取得される。
【００４２】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４３】
なお、本明細書においては、「印刷」の語は、通常の印刷のみならず、プリンタによるプリントも含む概念とする。
【００４４】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００４５】
なお、上記の例では端末装置２５、問い合わせサーバ２６及びサービスサーバ２７が別個に構成されているが、これらの幾つか又は全てを１つの装置として構成することも可能である。本実施形態において後述するサーバは、問い合わせサーバ２６及びサービスサーバ２７を兼ねていることとしている。
【００４６】
[処理システム]
次に、本発明の処理システムについて説明する。図７に処理システム１００の概略構成を示す。図７に示す処理システム１００は、プリンタにより電子ペン用帳票を製造した際にプリンタ側の原因による印刷時のずれから発生する座標情報のずれを補正するシステムである。
【００４７】
図７に示すように、処理システム１００は、端末装置２５及びサーバ５がネットワーク２を通じて接続されることにより構成される。ここで、ネットワーク２の１つの好適な例はインターネットである。
【００４８】
端末装置２５は、利用者が使用するパーソナルコンピュータ（以下、「ＰＣ」と呼ぶ。）や携帯電話といったネットワークを介してデータの授受が可能な端末装置である。電子ペン１０により電子ペン用帳票３に記入された記入内容は、記入情報として端末装置２５を介し、サーバ５へ送信される。記入情報は、利用者が記入した記入内容に関するストロークや座標に関する情報等が含まれている。また、端末装置２５は、プリンタ４に接続されている。利用者は、プリンタ４にドットパターンが印刷された紙媒体（以下、「ドットパターン帳票」と呼ぶ。）をセットし、任意の背景情報をその上にプリンタ印刷することで電子ペン用帳票３を製造する。背景情報とは、文字や罫線等の固定デザインに関する情報である。つまり、利用者は、端末装置２５により任意のデザインを設定し、ドットパターン帳票にそのデザインを印刷してプリンタ４から出力することで、多種多様な電子ペン用帳票３を製造することができる。ここで、電子ペン用帳票３は、電子ペン１０が認識可能な上述の専用ペーパーである。
【００４９】
なお、詳細は後述するが、プリンタ４により出力される電子ペン用帳票３には、印刷時に発生するドットパターン帳票と背景情報とのずれを補正するための第１補正記号及び第２補正記号を有している。
【００５０】
サーバ５は、電子ペン１０により電子ペン用帳票３に記入された内容に対応する記入情報を取得し、記入情報に含まれる座標情報を補正した上で所定のデータ処理を実効する。具体的に、サーバ５は、第１補正記号及び第２補正記号を結ぶように記入された線（以下、「補正線」と呼ぶ。）に対応する記入情報を補正記入情報として取得し、当該補正記入情報に基づいて、電子ペン用帳票３におけるドットパターン帳票と背景情報とのずれを示す補正値を算出する。また、サーバ５は、電子ペン用帳票３に記入された補正線以外の内容に対応する記入情報を帳票記入情報として取得し、当該帳票記入情報に含まれる座標情報を算出した補正値に基づいて補正する。そして、サーバ５は、補正した帳票記入情報に基づいて、所定のデータ処理を行う。
【００５１】
これによれば、プリンタ４により出力される電子ペン用帳票３において、印刷時にドットパターン帳票と背景情報のずれが発生したとしても、サーバ５はそのずれを補正した上で帳票記入情報に基づいて所定のデータ処理を実行することができる。よって、電子ペン１０を利用した所定のデータ処理を正確に実行することができる。
【００５２】
[電子ペン用帳票]
ここで、処理システム１００において製造され、使用される電子ペン用帳票３について、図８及び図９を参照して説明する。図８は、ドットパターン帳票及び背景情報の例である。図９は、プリンタ４により製造された電子ペン用帳票３の例である。
【００５３】
ドットパターン帳票には、図８（ａ）に示すように、予め電子ペン１０が認識可能なドットパターンが印刷されている。また、ドットパターン帳票には、背景情報がずれなく印刷された場合に基準となる位置に第１補正記号５０が印刷されている。
【００５４】
背景情報は、図８（ｂ）に示すように、電子ペンによって記入される複数の項目から構成されており、当該構成を表す文字や罫線等の固定デザインに関する情報である。背景情報は、図示のような固定デザインに関するデジタルデータであって、そのデータ形式やデザインは任意である。また、背景情報は、利用者が端末装置２５を使用して設計することとしてもよいし、ネットワーク２を介してサーバ５等からダウンロードすることとしてもよい。さらに、背景情報には、ドットパターン帳票に当該背景情報がずれなく印刷された場合に、第１補正記号５０と一致する位置に印刷される第２補正記号５２に関する情報を有している。
【００５５】
電子ペン用帳票３は、図８（ａ）に示すようなドットパターン帳票をプリンタ４にセットし、図８（ｂ）に示すような背景情報をその上に印刷することで製造される。ドットパターン帳票に背景情報がずれなく印刷された場合、図９（ａ）に示すように、電子ペン用帳票３おいて第１補正記号５０及び第２補正記号５２は一致する。一方、ドットパターン帳票に背景情報がずれて印刷された場合、図９（ｂ）に示すように、電子ペン用帳票３において第１補正記号５０及び第２補正記号５２はずれる。つまり、第１補正記号５０と第２補正記号５２のずれが、プリンタ４による印刷時に発生したずれである。
【００５６】
このように、本発明では、プリンタ４により、ドットパターン帳票に背景情報を印刷することで電子ペン用帳票３を製造するため、利用者は多種多様の電子ペン用帳票３を容易に製造することが可能となる。具体的には、アンケート用紙の場合に内容を自由に設計することができるため、目的に応じた様々な設問内容や、設問内容に対する選択肢内容及び選択肢数を反映させたアンケート用紙を容易に製造することが可能となる。
【００５７】
また、プリンタ４により製造した電子ペン用帳票３に印刷された第１補正記号及び第２補正記号に基づいて、印刷時に発生したずれの度合を特定することができる。よって、帳票記入情報を補正した上で所定のデータ処理を実行することが可能となり、印刷時のずれを考慮した正確なデータ処理を行うことができる。
【００５８】
[定義情報]
次に、図１０を参照して、定義情報について説明する。図１０は、定義情報のデータ構造を模式的に示す図である。定義情報は、電子ペン用帳票３を構成する項目と、当該項目のドットパターン上の位置座標とを対応付けて定義した情報であって、電子ペン用帳票３を製造した際に端末装置２５又はサーバ５により作成される。具体的には、ドットパターン帳票に印刷されたドットパターンの座標情報と、当該ドットパターン帳票に印刷された背景情報を構成する項目とに基づいて作成される。
【００５９】
定義情報は、図示のように、項目ＩＤ、項目名及び座標情報から構成されている。項目ＩＤとは、図９に示すような電子ペン用帳票３に印刷された各項目を識別する情報である。項目名とは、各項目の名称であり、例えば名前項目や住所項目等である。座標情報とは、電子ペン用帳票３に印刷されたドットパターン上における各項目の配置を示す位置座標である。本実施形態では、各項目の左上頂点座標及び右下頂点座標により、四角形である各項目のドットパターン上における配置を示している。
【００６０】
サーバ５は、帳票記入情報に含まれる座標情報に基づいて、図１０に示すような定義情報を参照することにより、当該帳票記入情報がどの項目に記入された内容に対応する情報であるかを容易に特定することができる。つまり、サーバ５は、定義情報を参照することにより、帳票記入情報から各項目に記入された項目記入情報を抽出することが可能となる。サーバ５は、例えば、このように抽出した項目記入情報に基づいて各項目に記入された内容を特定し、所定のデータ処理を実行することもできる。
【００６１】
[ずれ補正]
次に、図１１及び図１２を参照して、ずれ補正について説明する。図１１は、第１補正記号及び第２補正記号に基づく補正値を算出する方法を説明する図である。図１２は、補正値に基づいて座標点を補正する方法を説明する図である。
【００６２】
プリンタ４から電子ペン用帳票３を出力する場合、紙送りや紙セットのずれといったプリンタ４側の原因から、ドットパターン帳票と背景情報のずれが発生する。上述のように、プリンタ４による印刷時に発生するドットパターン帳票と背景情報のずれは、電子ペン用帳票３に印刷された第１補正記号５０及び第２補正記号５２により表される。よって、図１１に示すように、第１補正記号５０及び第２補正記号５２の位置座標に基づいて、横方向のずれ及び縦方向のずれを算出することにより、ドットパターン帳票と背景情報とのずれを数値化することができる。本実施形態では、便宜上、第１補正記号５０及び第２補正記号５２の位置座標に基づく横方向のずれを「ａ」、縦方向のずれを「ｂ」とする。
【００６３】
具体的に、利用者は、プリンタ４により電子ペン用帳票３を製造すると、電子ペン１０を使用して、電子ペン用帳票３に印刷された第１補正記号５０と第２補正記号５２を結ぶ補正線を記入する。利用者の指示により電子ペン１０は、補正線に関する記入情報を補正記入情報として、端末装置２５を介し、サーバ５へ送信する。サーバ５は、補正記入情報を取得すると、当該補正記入情報に含まれる時間情報及び座標情報に基づいて、ストロークの開始点及び終了点の位置座標をそれぞれ特定する。そして、サーバ５は、開始点の位置座標を第１補正記号５０の位置座標と特定し、終了点の位置座標を第２補正記号５２の位置座標と特定する。さらに、サーバ５は、特定した第１補正記号５０の位置座標と第２補正記号５２の位置座標との差分により、横方向のずれ「ａ」及び縦方向のずれ「ｂ」の数値を算出する。数値化した横方向のずれ及び縦方向のずれを総称して「補正値」と呼ぶ。
【００６４】
補正値を算出すると、サーバ５は、当該補正値に基づいて帳票記入情報に含まれる座標情報を補正する。
【００６５】
具体的に、利用者は、電子ペン用帳票３の各項目に必要事項の記入を行う。記入が完了すると、利用者の指示により電子ペン１０は、項目への記入内容に関する記入情報を帳票記入情報として、端末装置２５を介し、サーバ５へ送信する。サーバ５は、帳票記入情報を取得すると、当該帳票記入情報に含まれる座標情報を補正値に基づいて補正する。例えば、図１２に示すような座標点６０の場合、横方向のずれ「ａ」及び縦方向のずれ「ｂ」を加算することにより、座標点６２に補正される。
【００６６】
このように、サーバ５は、印刷時に発生したずれを数値化した補正値に基づいて、自動的に、帳票記入情報に含まれる座標情報を全て補正することができる。よって、サーバ５は、補正後の座標情報に基づいて正確に所定のデータ処理を実行することが可能となる。
【００６７】
[サーバ]
次に、サーバ５について詳しく説明する。図１３は、処理システム１００における、特にサーバ５の内部構成を示す。図示のように、サーバ５は、補正プログラム１０１、定義情報作成機能１０２、補正記入情報取得機能１０３、帳票記入情報取得機能１０４、座標情報補正機能１０５、項目記入情報抽出機能１０６及びデータ処理実行機能１０７を有する。なお、各機能は、サーバ５が有するＣＰＵが予め用意されたプログラムを実行することにより実現される。
【００６８】
補正プログラム１０１は、プリンタ４による電子ペン用帳票３製造時におけるずれを示す補正値を算出し、補正値に基づいて、電子ペン用帳票３に記入された帳票記入情報に含まれる座標情報を補正するプログラムである。
【００６９】
定義情報作成機能１０２は、プリンタ４により電子ペン用帳票３が製造された際に、ドットパターン帳票に印刷されたドットパターンの座標情報及び背景情報を構成する項目に基づいて、電子ペン用帳票３を構成する項目と、対応する項目のドットパターン上の位置座標を示す座標情報とを対応付けて定義した定義情報を作成する機能である。ここで、定義情報の基になるドットパターン帳票に印刷されたドットパターンの座標情報及び背景情報は、端末装置２５から受信する等により予めサーバ５が有していることとする。
【００７０】
なお、本実施形態では、ドットパターン帳票に背景情報がずれなく印刷されたと想定し、定義情報を作成する。本実施形態では、定義情報をサーバ５が作成することとしているが、本発明はこれに限定されるものではなく、定義情報を端末装置２５が作成し、サーバ５は端末装置２５から当該定義情報を取得することとしてもよい。
【００７１】
補正記入情報取得機能１０３は、電子ペン１０から、電子ペン用帳票３に印刷された第１補正記号及び第２補正記号を結ぶように記入された補正線に関する記入情報を、補正記入情報として取得する機能である。また、補正記入情報取得機能１０３は、取得した補正記入情報に含まれる座標情報に基づいて、第１補正記号の位置座標及び第２補正記号の位置座標を特定し、横方向のずれ及び縦方向のずれを示す補正値を算出する機能である。
【００７２】
帳票記入情報取得機能１０４は、電子ペン１０から、電子ペン用帳票３を構成する各項目に記入された内容に関する記入情報を、帳票記入情報として取得する機能である。
【００７３】
座標情報補正機能１０５は、帳票記入情報取得機能１０４が取得した帳票記入情報に含まれる座標情報を、補正記入情報取得機能１０３が算出した補正値に基づいて補正する機能である。
【００７４】
項目記入情報抽出機能１０６は、座標情報補正機能１０５が補正した帳票記入情報の座標情報に基づいて、定義情報作成機能１０２が作成した定義情報を参照することにより、帳票記入情報から各項目に記入された項目記入情報を抽出する機能である。
【００７５】
データ処理機能１０７は、項目記入情報抽出機能１０６が抽出した項目記入情報に基づいて、所定の処理を実行する機能である。
【００７６】
[補正処理]
次に、上記処理システム１００により実行される補正処理について説明する。図１４は、補正処理のフローチャートである。
【００７７】
利用者は、まず、プリンタ４にドットパターン帳票をセットし、任意のデザインである背景情報を印刷することで、電子ペン用帳票３を製造する。そして、利用者は、電子ペン１０により、電子ペン用帳票３に印刷された第１補正記号及び第２補正記号を結ぶ補正線を記入する。利用者の指示により電子ペン１０は、補正線に関する記入情報を、補正記入情報としてサーバ５へ送信する。また、必要であれば、端末装置２５は、電子ペン用帳票３を製造する際に使用したドットパターン帳票に印刷されたドットパターンの座標情報と、背景情報を構成する項目とに関する情報をサーバ５へ送信する。
【００７８】
サーバ５は、電子ペン用帳票３を構成する項目と、対応する項目のドットパターン上の位置座標に関する座標情報とを対応付けて定義した定義情報を作成する（ステップＳ１）。また、サーバ５は、端末装置２５を介して、電子ペン１０から補正記入情報を取得する（ステップＳ２）。そして、サーバ５は、取得した補正記入情報に基づいて、電子ペン用帳票３に印刷された第１補正記号の位置座標及び第２補正記号の位置座標をそれぞれ特定する。さらに、サーバ５は、第１補正記号の位置座標及び第２補正記号の位置座標に基づいて、電子ペン用帳票３製造時のずれを示す補正値を算出する（ステップＳ３）。
【００７９】
また、利用者は、電子ペン１０を使用して、製造した電子ペン用帳票３を構成する項目に必要事項を記入する。利用者の指示により電子ペン１０は、記入内容に関する記入情報を、帳票記入情報としてサーバ５へ送信する。
【００８０】
サーバ５は、端末装置２５を介して、電子ペン１０から帳票記入情報を取得する（ステップＳ４）。さらに、サーバ５は、取得した帳票記入情報に含まれる座標情報を、算出した補正値に基づいて補正する（ステップＳ５）。そして、サーバ５は、帳票記入情報に含まれる補正後の座標情報に基づいて、定義情報を参照することにより、当該帳票記入情報から、各項目に記入された項目記入情報を抽出する（ステップＳ６）。サーバ５は、抽出した項目記入情報に基づいて、所定のデータ処理を実行する（ステップＳ７）。
【００８１】
本発明によれば、電子ペン用帳票３をプリンタ４により製造した後、電子ペン１０を利用したずれ補正を行うことが可能である。具体的には、電子ペン１０により第１補正記号と第２補正記号とを結ぶ補正線を記入して補正記入情報を送信することで、サーバ５は、当該補正記入情報に基づいて、プリンタ４によりずれて印刷された位置と正確な位置とのずれ度合いである補正値を算出することができる。よって、サーバ５は、補正値に基づいて帳票記入情報を自動的に補正することができる。
【００８２】
これにより、利用者は、プリンタ４を使用して多種多様な電子ペン用帳票３を容易に製造することができる。また、このように製造された電子ペン用帳票３であっても、サーバ５は、補正値に基づいて補正を行うことで正確なデータ処理を実行することができる。
【００８３】
なお、本実施形態では、補正記号を図８等に示すような記号としているが、本発明はこれに限定されるものではなく、トンボ、丸、四角、文字等任意の記号を適用することができる。
【００８４】
また、本実施形態では、図１３に示すように、サーバ５が各種機能を有することとしているが、本発明はこれに限定されるものではなく、一部又は全部の機能を端末装置２５が有することとしてもよい。つまり、端末装置２５自身で完結した処理により、補正値の算出及び帳票記入情報の補正を行うこととしてもよい。この場合、端末装置２５は、ネットワーク２に接続されている必要はなく、スタンドアロンでも構わない。
【００８５】
また、本実施形態では、サーバ５は、帳票記入情報から抽出した項目記入情報に基づいて所定のデータ処理を実行することとしているが、本発明はこれに限定されるものではなく、座標情報が補正された帳票記入情報に基づいて所定のデータ処理を実行することとしてもよい。
【００８６】
また、本実施形態では、算出した補正値に基づいて、帳票記入情報に含まれる座標情報を補正している。しかし、本発明はこれに限定されるものではなく、算出した補正値に基づいて、定義情報を構成する座標情報を補正することとしてもよい。この場合、サーバ５は、帳票記入情報に含まれる座標情報に基づいて、補正後の定義情報を参照することにより、項目記入情報を抽出する。つまり、各項目に記入された情報を、印刷のずれを考慮した上で抽出することができる。よって、印刷時にずれが発生したとしても、サーバ５は、帳票記入情報に基づいて正確なデータ処理を実行することができる。
【産業上の利用可能性】
【００８７】
本発明によれば、電子ペンを利用して、プリンタによる製造時に発生したずれを自動的に補正することができるため、プリンタにより多種多様な電子ペン用帳票を製造する際に利用することができる。
【図面の簡単な説明】
【００８８】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】処理システムの概略構成を示す。
【図８】ドットパターン帳票及び背景情報の例である。
【図９】電子ペン用帳票の例である。
【図１０】定義情報のデータ構造を模式的に示す図である。
【図１１】第１補正記号及び第２補正記号に基づく補正値を算出する方法を説明する図である。
【図１２】補正値に基づいて座標点を補正する方法を説明する図である。
【図１３】処理システムに含まれるサーバの機能ブロック図である。
【図１４】補正処理のフローチャートである。
【符号の説明】
【００８９】
２…ネットワーク
３…電子ペン用帳票
５…サーバ
１０…電子ペン
１１…プロセッサ
１２…メモリ
１３…データ通信ユニット
１４…バッテリー
２５…端末装置
２６…問い合わせサーバ
２７…サービスサーバ
１００…処理システム
【図１】
2008117187.tif 000003
【図２】
2008117187.tif 000004
【図３】
2008117187.tif 000005
【図４】
2008117187.tif 000006
【図５】
2008117187.tif 000007
【図６】
2008117187.tif 000008
【図７】
2008117187.tif 000009
【図８】
2008117187.tif 000010
【図９】
2008117187.tif 000011
【図１０】
2008117187.tif 000012
【図１１】
2008117187.tif 000013
【図１２】
2008117187.tif 000014
【図１３】
2008117187.tif 000015
【図１４】
2008117187.tif 000016